(57)【要約】【課題】  簡単な構成で相手先の時刻を通話前に知ることができる携帯電話機通信システム、携帯電話機通信方法、携帯電話機、移動通信制御局、プログラム、及び記録媒体を提供する。【解決手段】  通話相手の電話番号が入力されると電話番号を表示する表示手段７と、開始ボタンが押されると移動通信制御局にアクセスして通話相手の現地時刻の情報を入手して表示手段７に表示させ、さらに開始ボタンが押されると待ち受け状態を通話状態に制御する制御手段３とを備えたことにより、移動通信制御局にアクセスして通話相手の現地時刻の情報を入手して表示手段７に表示させるので、関門交換機を用いる必要がなくなり、簡単な構成で相手先の時刻を通話前に知ることができる。【選択図】  図１
2006270840.tif 000002
【特許請求の範囲】
【請求項１】
通話相手の電話番号が入力されると該電話番号を表示する表示手段、及び開始ボタンが押されると移動通信制御局にアクセスして前記通話相手の現地時刻の情報を入手して前記表示手段に表示させ、さらに前記開始ボタンが押されると待ち受け状態を通話状態に制御する制御手段を有する複数の携帯電話機と、
各携帯電話機の現在位置情報を保有した第１のデータベース、タイムゾーンにおける現地時刻情報やサマータイム実施領域における現地時刻情報を保有した第２のデータベース、及び前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供させる制御部を有する移動通信制御局とを備えたことを特徴とする携帯電話機通信システム。
【請求項２】
前記携帯電話機は自己の位置を検知するためのＧＰＳ受信部を備えたことを特徴とする請求項１記載の携帯電話機通信システム。
【請求項３】
前記第２のデータベースに保有されるタイムゾーンにおける現地時刻情報やサマータイム実施領域における現地時刻情報は、管理者により常に最新版に更新可能であることを特徴とする請求項１または２記載の携帯電話機通信システム。
【請求項４】
前記移動通信制御局は、ネットワークに接続され、該ネットワークに複数の無線基地局が接続され、前記無線基地局は前記携帯電話機と無線通信を行うことを特徴とする請求項１から３のいずれか１項記載の携帯電話機通信システム。
【請求項５】
通話相手の電話番号が入力されると該電話番号を表示する表示手段と、
開始ボタンが押されると移動通信制御局にアクセスして前記通話相手の現地時刻の情報を入手して前記表示手段に表示させ、さらに前記開始ボタンが押されると待ち受け状態を通話状態に制御する制御手段とを備えたことを特徴とする携帯電話機。
【請求項６】
自己の位置を検知するためのＧＰＳ受信部を備えたことを特徴とする請求項５記載の携帯電話機。
【請求項７】
各携帯電話機の現在位置情報を保有した第１のデータベースと、
タイムゾーンにおける現地時刻情報やサマータイム実施領域における現地時刻情報を保有した第２のデータベースと、
前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供させる制御部とを備えたことを特徴とする移動通信制御局。
【請求項８】
前記第２のデータベースに保有されるタイムゾーンにおける現地時刻情報やサマータイム実施領域における現地時刻情報は、管理者により常に最新版に更新可能であることを特徴とする請求項７記載の移動通信制御局。
【請求項９】
前記移動通信制御局は、ネットワークに接続され、該ネットワークに複数の無線基地局が接続され、前記無線基地局は前記携帯電話機と無線通信を行うことを特徴とする請求項７または８記載の移動通信制御局。
【請求項１０】
携帯電話機は、
通話相手の電話番号が入力されると該電話番号を表示し、
開始ボタンが押されると移動通信制御局にアクセスして前記通話相手の現地時刻の情報を入手して前記表示手段に表示させ、
さらに前記開始ボタンが押されると待ち受け状態を通話状態に制御し、
前記移動通信制御局は、
各携帯電話機の現在位置情報を第１のデータベースに保有し、第２のデータベースにタイムゾーンにおける現地時刻情報やサマータイム実施領域における現地時刻情報を保有し、前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供させることを特徴とする携帯電話機通信方法。
【請求項１１】
前記携帯電話機は、ＧＰＳ受信部により自己の位置を検知することを特徴とする請求項１０記載の携帯電話機通信方法。
【請求項１２】
前記第２のデータベースに保有されるタイムゾーンにおける現地時刻情報やサマータイム実施領域における現地時刻情報は、管理者により常に最新版に更新可能であることを特徴とする請求項１０または１１記載の携帯電話機通信方法。
【請求項１３】
前記移動通信制御局は、ネットワークに接続され、該ネットワークに複数の無線基地局が接続され、前記無線基地局は前記携帯電話機と無線通信を行うことを特徴とする請求項１０から１２のいずれか１項記載の携帯電話機通信方法。
【請求項１４】
携帯電話機との間で通信を行う移動通信制御局のコンピュータに、
第１のデータベースが各携帯電話機の現在位置情報を保有する処理、
第２のデータベースがタイムゾーンにおける現地時刻情報やサマータイム実施領域における現地時刻情報を保有する処理、
制御部が前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供する処理を実行させることを特徴とするプログラム。
【請求項１５】
携帯電話機との間で通信を行う移動通信制御局のコンピュータに、
第１のデータベースが各携帯電話機の現在位置情報を保有する処理、
第２のデータベースがタイムゾーンにおける現地時刻情報やサマータイム実施領域における現地時刻情報を保有する処理、
制御部が前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供する処理を実行させる移動通信制御プログラムを記録したことを特徴とする記録媒体。
【発明の詳細な説明】
【技術分野】
【０００１】
本発明は、携帯電話機通信システム、携帯電話機通信方法、携帯電話機、移動通信制御局、プログラム、及び記録媒体に関する。
【背景技術】
【０００２】
周知の通り、世界の時刻は、世界的に統一された標準時刻（ＧＭＴ：Greenwich Mean  Time）で定められている。近年、飛行機や船舶などの輸送手段の発達により、自国と外国との間を行き来したり、同一地域内を行き来したりすることが多くなった。このため、タイムゾーンを跨ぐような移動の際には、所有する携帯電話機を、移動先の現在時間（現地時刻）に設定し直す必要があった。
ここで、タイムゾーンとは、原則として地球を物理的に、イギリスのグリニッジを起点として１５°ごとの経線で分割したものであるが、地域や国によっては経線の間隔が異なっている。
【０００３】
しかし、移動先に応じて時刻設定を修正するには、あらかじめ移動先のタイムゾーンを把握しておき、移動の度に手動で時刻設定を修正する必要があるので余計な労力が強いられる。
また、通話したい相手が外国に移動中であり、その外国と自国との間に時差がある場合やアメリカ合衆国のように同一国内でも地域によって時差がある場合、移動先の現地時刻を算出し、電話をかけても問題のない時間帯（例えば昼間）であるか否かを確認するという余計な労力が必要であった。さらに、相手の移動先が不明の場合は、相手と通話できる時間帯であるか否かを知ることができないという問題があった。
【０００４】
そこで、計時手段の計時時刻を位置検出手段で検出された位置における現地時刻になるように調整すること（例えば、特許文献１参照。）や、基地局からの国情報によりデータを修正し他国に移動した場合でも自身で時刻を修正することなく現地時刻を知ることができる携帯電話機が開示されている（例えば、特許文献２参照。）。
また、移動国間の時差分だけシフトし、アラーム機能が動作するように自動的に修正修正すること（例えば、特許文献３参照。）や現在位置をGPSから取得しローカル時間が算出され、サマータイムが設定されていた場合のローカル時間を設定することが開示されている。
ここで、サマータイムとは、エネルギー節約のため、特定の国の政府が設けたものであり、夏期において１時間進められた時間である（例えば、特許文献４参照。）。
さらに、発信側に通話前に通信相手先の携帯端末の現地時刻を報知することができる無線通信システム及び発信側携帯端末における相手先携帯端末の時刻識別方法が提案されている（例えば、特許文献５参照）。
【特許文献１】特開２０００−１８７０８８号公報
【特許文献２】特開２００２−９４６１８号公報
【特許文献３】特開２００２−２９０５１５号公報
【特許文献４】特開２００３−１１４２９０号公報
【特許文献５】特開２００３−１８９３６７号公報
【発明の開示】
【発明が解決しようとする課題】
【０００５】
しかしながら、上述した特許文献１記載の技術では、相手先の時刻を通話前に知ることができず、特許文献２記載の技術は、携帯電話機の使用者が外国や他の地域に移動した場合にその使用者の携帯電話機の内蔵時計の時刻、カレンダーの日付、及びアラームの修正を行うものであり、相手先が位置する国の時間（現地時刻）について表示するものではなかった。
【０００６】
また、特許文献３記載の技術は、アラーム機能を修正するものの、相手先の時刻を通話前に知ることができず、特許文献４、５記載の技術では、基地局に接続された交換機同士を接続するために複数の関門交換機や大容量のデータベースが必要となり、その分システムが複雑になるという問題がある。
【０００７】
また、タイムゾーンを跨ぐような移動の際には、所有する携帯電話機を、移動先の現地時刻に設定し直す必要があった。しかし、移動先に応じて時刻設定を修正するには、あらかじめ移動先のタイムゾーンを把握したり、移動の度に手動で設定時刻を修正したりする必要があり、余計な労力が強いられるため、自動的にタイムゾーンやサマータイムを考慮した設定を行う機能が求められている。
【０００８】
また、通話したい相手が時差のある外国や地域へ移動する場合、移動先の時刻（現地時刻）を算出して、電話をかけても問題ない時間帯であるか否かを確認するという余計な労力が必要であった。しかも相手の移動先が分からない場合は、相手と通話できる時間帯か否かさえ知ることができないという問題があった。
そこで、本発明の目的は、簡単な構成で相手先の時刻を通話前に知ることができる携帯電話機通信システム、携帯電話機通信方法、携帯電話機、移動通信制御局、プログラム、及び記録媒体を提供することにある。
【課題を解決するための手段】
【０００９】
上記課題を解決するために本発明の請求項１記載の発明は、通話相手の電話番号が入力されると該電話番号を表示する表示手段、及び開始ボタンが押されると移動通信制御局にアクセスして前記通話相手の現地時刻の情報を入手して前記表示手段に表示させ、さらに前記開始ボタンが押されると待ち受け状態を通話状態に制御する制御手段を有する複数の携帯電話機と、各携帯電話機の現在位置情報を保有した第１のデータベース、タイムゾーンにおける現地時刻情報やサマータイム実施領域における現地時刻情報を保有した第２のデータベース、及び前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供させる制御部を有する移動通信制御局とを備えたことを特徴とする。
【００１０】
請求項１記載の発明によれば、通話相手の電話番号が入力されると表示手段に電話番号を表示することにより、通話相手の確認を行うことができ、開始ボタンが押されると移動通信制御局にアクセスして通話相手の現地時刻の情報を入手して表示手段に表示させることにより、通話相手の現地時刻が表示されることにより、相手先と通話してよい時間帯か否かを判断することができ、開始ボタンが押されると制御手段により待ち受け状態を通話状態に制御することにより、開始ボタンが押されるまで通話できないので、通話に不適切な時間帯に送信されることが防止される。
【００１１】
請求項２記載の発明は、請求項１記載の発明において、前記携帯電話機は自己の位置を検知するためのＧＰＳ受信部を備えたことを特徴とする。
【００１２】
請求項２記載の発明によれば、ＧＰＳ受信部を備えたことにより、自己の位置を正確に把握することができる。
【００１３】
請求項３記載の発明は、請求項１または２記載の発明において、前記第２のデータベースに保有されるタイムゾーンにおける現地時刻情報やサマータイム実施領域における現地時刻情報は、管理者により常に最新版に更新可能であることを特徴とする。
【００１４】
請求項３記載の発明によれば、領域位置情報が管理者により常に最新版に更新可能であることにより、携帯電話機に大容量のメモリを保持する必要がなくなり、その分だけ低コスト化、小型化を図ることができる。
【００１５】
請求項４記載の発明は、請求項１から３のいずれか１項記載の発明において、前記移動通信制御局は、ネットワークに接続され、該ネットワークに複数の無線基地局が接続され、前記無線基地局は前記携帯電話機と無線通信を行うことを特徴とする。
【００１６】
請求項４記載の発明によれば、ネットワークに複数の無線基地局が接続され、無線基地局は携帯電話機と無線通信を行うことにより、携帯電話機と通信できる携帯電話機の数を増加させることができる。
【００１７】
請求項５記載の発明は、通話相手の電話番号が入力されると該電話番号を表示する表示手段と、開始ボタンが押されると移動通信制御局にアクセスして前記通話相手の現地時刻の情報を入手して前記表示手段に表示させ、さらに前記開始ボタンが押されると待ち受け状態を通話状態に制御する制御手段とを備えたことを特徴とする。
【００１８】
請求項５記載の発明によれば、通話相手の電話番号が入力されると表示手段に電話番号を表示することにより、通話相手の確認を行うことができ、開始ボタンが押されると移動通信制御局にアクセスして通話相手の現地時刻の情報を入手して表示手段に表示させることにより、通話相手の現地時刻が表示されることにより、相手先と通話してよい時間帯か否かを判断することができ、開始ボタンが押されると制御手段により待ち受け状態を通話状態に制御することにより、開始ボタンが押されるまで通話できないので、通話に不適切な時間帯に送信されることが防止される。
【００１９】
請求項６記載の発明は、請求項５記載の発明において、自己の位置を検知するためのＧＰＳ受信部を備えたことを特徴とする。
【００２０】
請求項６記載の発明によれば、ＧＰＳ受信部を備えたことにより、自己の位置を正確に把握することができる。
【００２１】
請求項７記載の発明は、各携帯電話機の現在位置情報を保有した第１のデータベースと、タイムゾーンにおける現地時刻情報やサマータイム実施領域における現地時刻情報を保有した第２のデータベースと、前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供させる制御部とを備えたことを特徴とする。
【００２２】
請求項７記載の発明によれば、各携帯電話機の現在位置情報を保有した第１のデータベース、タイムゾーンやサマータイム実施領域の領域位置情報を保有した第２のデータベース、及び携帯電話機から通話相手の現地時刻に関するアクセスがあると、第１のデータベースから通話相手の位置を検索し、第２のデータベースから通話相手の位置に対応した現地時刻を検索し、得られた現地時刻の情報を携帯電話機に提供させる制御部を有することにより、タイムゾーンやサマータイム実施領域を考慮した通話制御を行うことができる。
【００２３】
請求項８記載の発明は、請求項７記載の発明において、前記第２のデータベースに保有されるタイムゾーンにおける現地時刻情報やサマータイム実施領域における現地時刻情報は、管理者により常に最新版に更新可能であることを特徴とする。
【００２４】
請求項８記載の発明によれば、領域位置情報が管理者により常に最新版に更新可能であることにより、携帯電話機に大容量のメモリを保持する必要がなくなり、その分だけ低コスト化、小型化を図ることができる。
【００２５】
請求項９記載の発明は、請求項７または８記載の発明において、前記移動通信制御局は、ネットワークに接続され、該ネットワークに複数の無線基地局が接続され、前記無線基地局は前記携帯電話機と無線通信を行うことを特徴とする。
【００２６】
請求項９記載の発明によれば、ネットワークに複数の無線基地局が接続され、無線基地局は携帯電話機と無線通信を行うことにより、携帯電話機と通信できる携帯電話機の数を増加させることができる。
【００２７】
請求項１０記載の発明は、携帯電話機は、通話相手の電話番号が入力されると該電話番号を表示し、開始ボタンが押されると移動通信制御局にアクセスして前記通話相手の現地時刻の情報を入手して前記表示手段に表示させ、さらに前記開始ボタンが押されると待ち受け状態を通話状態に制御し、前記移動通信制御局は、各携帯電話機の現在位置情報を第１のデータベースに保有し、第２のデータベースにタイムゾーンにおける現地時刻情報やサマータイム実施領域における現地時刻情報を保有し、前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供させることを特徴とする。
【００２８】
請求項１０記載の発明によれば、通話相手の電話番号が入力されると表示手段に電話番号を表示することにより、通話相手の確認を行うことができ、開始ボタンが押されると移動通信制御局にアクセスして通話相手の現地時刻の情報を入手して表示手段に表示させることにより、通話相手の現地時刻が表示されることにより、相手先と通話してよい時間帯か否かを判断することができ、開始ボタンが押されると制御手段により待ち受け状態を通話状態に制御することにより、開始ボタンが押されるまで通話できないので、通話に不適切な時間帯に送信されることが防止される。
【００２９】
請求項１１記載の発明は、請求項１０記載の発明において、前記携帯電話機は、ＧＰＳ受信部により自己の位置を検知することを特徴とする。
【００３０】
請求項１１記載の発明によれば、ＧＰＳ受信部を備えたことにより、自己の位置を正確に把握することができる。
【００３１】
請求項１２記載の発明は、請求項１０または１１記載の発明において、前記第２のデータベースに保有されるタイムゾーンにおける現地時刻情報やサマータイム実施領域における現地時刻情報は、管理者により常に最新版に更新可能であることを特徴とする。
【００３２】
請求項１２記載の発明によれば、領域位置情報が管理者により常に最新版に更新可能であることにより、携帯電話機に大容量のメモリを保持する必要がなくなり、その分だけ低コスト化、小型化を図ることができる。
【００３３】
請求項１３記載の発明は、請求項１０から１２のいずれか１項記載の発明において、前記移動通信制御局は、ネットワークに接続され、該ネットワークに複数の無線基地局が接続され、前記無線基地局は前記携帯電話機と無線通信を行うことを特徴とする。
【００３４】
請求項１３記載の発明によれば、ネットワークに複数の無線基地局が接続され、無線基地局は携帯電話機と無線通信を行うことにより、携帯電話機と通信できる携帯電話機の数を増加させることができる。
【００３５】
請求項１４記載の発明は、携帯電話機との間で通信を行う移動通信制御局のコンピュータに、第１のデータベースが各携帯電話機の現在位置情報を保有する処理、第２のデータベースがタイムゾーンにおける現地時刻情報やサマータイム実施領域における現地時刻情報を保有する処理、制御部が前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供する処理を実行させることを特徴とする。
【００３６】
請求項１４記載の発明によれば、各携帯電話機の現在位置情報を保有した第１のデータベース、タイムゾーンやサマータイム実施領域の領域位置情報を保有した第２のデータベース、及び携帯電話機から通話相手の現地時刻に関するアクセスがあると、第１のデータベースから通話相手の位置を検索し、第２のデータベースから通話相手の位置に対応した現地時刻を検索し、得られた現地時刻の情報を携帯電話機に提供させる制御部を有することにより、タイムゾーンやサマータイム実施領域を考慮した通話制御を行うことができる。
【００３７】
請求項１５記載の発明は、携帯電話機との間で通信を行う移動通信制御局のコンピュータに、第１のデータベースが各携帯電話機の現在位置情報を保有する処理、第２のデータベースがタイムゾーンにおける現地時刻情報やサマータイム実施領域における現地時刻情報を保有する処理、制御部が前記携帯電話機から前記通話相手の現地時刻に関するアクセスがあると前記第１のデータベースから前記通話相手の位置を検索し、前記第２のデータベースから前記通話相手の位置に対応した現地時刻を検索し、得られた現地時刻の情報を前記携帯電話機に提供する処理を実行させる移動通信制御プログラムを記録したことを特徴とする。
【００３８】
請求項１５記載の発明によれば、各携帯電話機の現在位置情報を保有した第１のデータベース、タイムゾーンやサマータイム実施領域の領域位置情報を保有した第２のデータベース、及び携帯電話機から通話相手の現地時刻に関するアクセスがあると、第１のデータベースから通話相手の位置を検索し、第２のデータベースから通話相手の位置に対応した現地時刻を検索し、得られた現地時刻の情報を携帯電話機に提供させる制御部を有することにより、タイムゾーンやサマータイム実施領域を考慮した通話制御を行うことができる。
【発明の効果】
【００３９】
本発明によれば、移動通信制御局が、携帯電話機から移動通信制御局にアクセスして通話相手の現地時刻の情報を入手して携帯電話機の表示手段に表示させるので、関門交換機を用いる必要がなくなり、簡単な構成で相手先の時刻を通話前に知ることができる。
【発明を実施するための最良の形態】
【００４０】
〔特徴〕
本実施の形態は、自国との間に時差のある外国や地域間を移動する際にタイムゾーンを跨いでも、時差をあらかじめ把握する必要がなく、移動先に応じた表示時刻を自動的に修正することが可能な携帯電話機を提供するものである。また外国や時差の異なる地域にいる通話相手や、居場所が不明な通話相手の携帯電話機に電話をかける際、事前に相手先の場所の時刻を知ることが可能な携帯電話機とシステムを提供するものである。
〔構成〕
本実施形態の携帯電話機通信システムは、通話相手の電話番号が入力されると電話番号を表示する表示手段、及び開始ボタンが押されると移動通信制御局にアクセスして通話相手の現地時刻の情報を入手して表示手段に表示させ、さらに開始ボタンが押されると待ち受け状態を通話状態に制御する制御手段を有する複数の携帯電話機と、各携帯電話機の現在位置情報を保有した第１のデータベース、タイムゾーンにおける現地時刻情報やサマータイム実施領域における現地時刻情報を保有した第２のデータベース、及び携帯電話機から通話相手の現地時刻に関するアクセスがあると第１のデータベースから通話相手の位置を検索し、第２のデータベースから通話相手の位置に対応した現地時刻を検索し、得られた現地時刻の情報を携帯電話機に提供させる制御部を有する移動通信制御局とを備えたことを特徴とする。
【００４１】
本実施形態の携帯電話機通信システムは、上記構成に加え、携帯電話機は自己の位置を検知するためのＧＰＳ受信部を備えるのが好ましく、第２のデータベースに保有されるタイムゾーンにおける現地時刻情報やサマータイム実施領域における現地時刻情報は、管理者により常に最新版に更新可能であるのが好ましい。
【００４２】
本実施形態の携帯電話機通信システムは、上記構成に加え、移動通信制御局は、ネットワークに接続され、ネットワークに複数の無線基地局が接続され、無線基地局は携帯電話機と無線通信を行うのが好ましい。
【００４３】
本実施形態の携帯電話機は、通話相手の電話番号が入力されると電話番号を表示する表示手段と、開始ボタンが押されると移動通信制御局にアクセスして通話相手の現地時刻の情報を入手して表示手段に表示させ、さらに開始ボタンが押されると待ち受け状態を通話状態に制御する制御手段とを備えたことを特徴とする。
【００４４】
本実施形態の携帯電話機は、上記構成に加え、自己の位置を検知するためのＧＰＳ受信部を備えるのが好ましい。
【００４５】
本実施形態の移動通信制御局は、各携帯電話機の現在位置情報を保有した第１のデータベースと、タイムゾーンにおける現地時刻情報やサマータイム実施領域における現地時刻情報を保有した第２のデータベースと、携帯電話機から通話相手の現地時刻に関するアクセスがあると第１のデータベースから通話相手の位置を検索し、第２のデータベースから通話相手の位置に対応した現地時刻を検索し、得られた現地時刻の情報を携帯電話機に提供させる制御部とを備えたことを特徴とする。
【００４６】
本実施形態の移動通信制御局は、上記構成に加え、第２のデータベースに保有されるタイムゾーンにおける現地時刻情報やサマータイム実施領域における現地時刻情報は、管理者により常に最新版に更新可能であるのが好ましく、移動通信制御局は、ネットワークに接続され、ネットワークに複数の無線基地局が接続され、無線基地局は携帯電話機と無線通信を行うのが好ましい。
【００４７】
本実施形態の携帯電話機通信方法は、携帯電話機は、通話相手の電話番号が入力されると電話番号を表示し、開始ボタンが押されると移動通信制御局にアクセスして通話相手の現地時刻の情報を入手して表示手段に表示させ、さらに開始ボタンが押されると待ち受け状態を通話状態に制御し、移動通信制御局は、各携帯電話機の現在位置情報を第１のデータベースに保有し、第２のデータベースにタイムゾーンにおける現地時刻情報やサマータイム実施領域における現地時刻情報を保有し、携帯電話機から通話相手の現地時刻に関するアクセスがあると第１のデータベースから通話相手の位置を検索し、第２のデータベースから通話相手の位置に対応した現地時刻を検索し、得られた現地時刻の情報を携帯電話機に提供させることを特徴とする。
【００４８】
本実施形態の移動通信制御局は、上記構成に加え、携帯電話機は、ＧＰＳ受信部により自己の位置を検知するのが好ましく、第２のデータベースに保有されるタイムゾーンにおける現地時刻情報やサマータイム実施領域における現地時刻情報は、管理者により常に最新版に更新可能であるのが好ましく、移動通信制御局は、ネットワークに接続され、ネットワークに複数の無線基地局が接続され、無線基地局は携帯電話機と無線通信を行うのが好ましい。
【００４９】
本実施形態のプログラムは、携帯電話機との間で通信を行う移動通信制御局のコンピュータに、第１のデータベースが各携帯電話機の現在位置情報を保有する処理、第２のデータベースがタイムゾーンにおける現地時刻情報やサマータイム実施領域における現地時刻情報を保有する処理、制御部が携帯電話機から通話相手の現地時刻に関するアクセスがあると第１のデータベースから通話相手の位置を検索し、第２のデータベースから通話相手の位置に対応した現地時刻を検索し、得られた現地時刻の情報を携帯電話機に提供する処理を実行させることを特徴とする。
【００５０】
本実施形態の記録媒体は、携帯電話機との間で通信を行う移動通信制御局のコンピュータに、第１のデータベースが各携帯電話機の現在位置情報を保有する処理、第２のデータベースがタイムゾーンにおける現地時刻情報やサマータイム実施領域における現地時刻情報を保有する処理、制御部が携帯電話機から通話相手の現地時刻に関するアクセスがあると第１のデータベースから通話相手の位置を検索し、第２のデータベースから通話相手の位置に対応した現地時刻を検索し、得られた現地時刻の情報を携帯電話機に提供する処理を実行させる移動通信制御プログラムを記録したことを特徴とする。
【００５１】
すなわち、本実施の形態は、図１に示したＧＰＳ機能付き携帯電話機１と、携帯電話機の無線通信網のシステムに対して携帯電話機１が緯度、経度の位置情報を無線通信にてネットワークに送受信可能な機能を装備し、またネットワークの移動通信制御局にタイムゾーンが変化する境界線のおける緯度と経度の対応関係の情報と、サマータイムが適用されている国、地域を囲む境界線の緯度と経度の情報を格納するデータベースと、そのデータベースを用いて、各携帯電話機のタイムゾーン、サマータイムを検索する制御部とを装備するものである。それにより、携帯電話機と移動通信制御局との無線通信により、相手先の携帯電話機の位置におけるタイムゾーンやサマータイムに対応すべく自動変更機能を有し、通話相手の携帯電話機が位置する場所のタイムゾーン、サマータイムから通話相手の携帯電話機の位置における時刻を算出することができる。
【００５２】
本実施形態によれば、移動通信制御局が、携帯電話機から移動通信制御局にアクセスして通話相手の現地時刻の情報を入手して携帯電話機の表示手段に表示させるので、関門交換機を用いる必要がなくなり、簡単な構成で相手先の時刻を通話前に知ることができる。
【実施例】
【００５３】
本実施例は、常に最新情報のデータベースをもとに、携帯電話機のタイムゾーン設定とサマータイム設定とを自動的に変更でき、通話したい相手の移動先の時刻情報を、通話する前に事前確認することができる携帯電話機及び携帯電話機通信システムに関するものである。
〔構  成〕
図１は本発明に係わる携帯電話機の一実施例のブロック図である。
同図に示す携帯電話機１は、複数のGPS測位衛星から送られた無線信号を受信し、この無線信号に含まれる情報から携帯電話機１が位置する緯度および経度を求めるGPS受信部２と、GPS受信部２から受信した緯度、経度の位置情報をメモリ４に対して書き込んだり読み出したり、無線部５に対して信号の送受信を行わせたり、表示部７に表示指示を行ったりする制御手段としての制御部３と、緯度及び経度の位置情報が格納されるメモリ４と、制御部３からの信号に電話番号情報を付加してアンテナ６に給電し、アンテナ６で受信した信号を制御部３に出力する無線部５と、外部の無線基地局との間で無線通信を行うためのアンテナ６と、制御部３からの信号を表示する表示手段としての表示部７と、開始ボタンを含む操作部１０とで構成される。
【００５４】
図２は本発明にかかる携帯通信システムの一実施例のブロック図である。
同図に示す通信システムにおいて、携帯電話機１、２、…、Ｘ、…、Ｎと無線基地局Ａ、Ｂとの間の無線通信システムと、無線基地局Ａ、Ｂと移動通信制御局との間の有線通信システムと、移動通信制御局に携帯電話機１〜Ｎの情報を格納することができる第１のデータベースとしてのデータベース１とを備えた従来からの通信システムに加え、データベース１及び第２のデータベースとしてのデータベース２からの情報を元に、各携帯電話機１、２、…、Ｘ、…、Ｎのタイムゾーンと、サマータイム適用・非適用の判断を行い、無線基地局Ａ、Ｂへ送信する制御部８と、所定時間単位（例えば１５分単位）でタイムゾーンが変化する境界線における緯度及び経度の対応関係の情報と、サマータイムが適用されている国や地域を囲む境界線の緯度及び経度の情報とが格納されているデータベース２とで構成される。
【００５５】
以上、実施例の構成を述べたが、図２に示す携帯電話機と無線基地局との間の無線通信システムと、無線基地局と移動通信制御局との間の有線通信システムと、移動通信制御局のデータベースへの情報格納方式及び読出方式とは、当業者にとっては公知であり、また本発明と直接関係しないので、その詳細な構成および説明は省略する。
【００５６】
〔動  作〕
次に動作について図１〜図３を参照して説明する。
図３は図２に示した無線通信システムにおけるフローチャートである。
図１に示す携帯電話機１におけるGPS受信部２は、複数のGPS測位衛星から送られた無線信号を受信する（ステップＳ１）。
この無線信号に含まれる情報から例えば携帯電話機１の位置における緯度及び経度等の位置情報を算出し（ステップＳ２）、これらの位置情報を携帯電話機１の位置情報として、制御部３に出力する。
制御部３は、GPS受信部２からの緯度及び経度の位置情報を受信すると、メモリ４に緯度及び経度の位置情報を格納する。制御部３はメモリ４に格納された緯度及び経度の位置情報についてローミング中か否かを判断する。ここで、ローミングとは契約している通信事業者のサービスを、その事業者のサービス範囲外でも、提携している他の事業者の設備を利用して受けられるようにすることを言う。
（ステップＳ３）。
【００５７】
ステップＳ３でローミング中ではないと判断した場合（ステップＳ３／ＮＯ）にはステップＳ１に戻り、ローミング中であると判断した場合（ステップＳ３／ＹＥＳ）には次のステップＳ４に進む。すなわち、位置情報をローミングのタイミングで無線部５へ送信し、無線部５において携帯電話機１の電話番号情報が付加され、アンテナ６を通して、例えば無線基地局（基地局）Ａへ送信される（ステップＳ４）。
【００５８】
図２に示す通信システムにおいて、無線基地局Ａが携帯電話機１から受信した携帯電話機１の緯度及び経度の位置情報と電話番号情報とは、ネットワークを介して移動通信制御局の制御部８へ送信される（ステップＳ４、Ｓ５）。
制御部８は、電話番号情報をもとに携帯電話機１からの情報であることを検出すると、データベース１内の携帯電話機１データに緯度及び経度の位置情報を格納する。
また、移動通信制御局には、データベース２も保有し、このデータベース２には、例えば１５分単位でタイムゾーンが変化する境界線における緯度及び経度の対応関係の情報と、サマータイムが適用されている国や地域を囲む境界線の緯度及び経度の情報とが格納されている。
【００５９】
データベース２の情報は、管理者により最新情報に更新され、常に最新情報が保有されている。制御部８は、携帯電話機１のタイムゾーンとサマータイムとが適用されるか否かを検索するため、データベース１から携帯電話機１の緯度及び経度の情報と、データベース２からタイムゾーンやサマータイムの境界線の緯度及び経度の対応情報を算出して入手する（ステップＳ６）。
【００６０】
移動通信制御局の制御部８は、携帯電話機１の位置（緯度及び経度）が、どのタイムゾーンの境界線の範囲に入っているか否かを検索し、該当するタイムゾーンを割り出す。また制御部８は、電話機１の緯度及び経度がサマータイムの境界線の範囲に入っており、且つサマータイムの期間内に入っている場合はサマータイム適用と判断し、それ以外はサマータイム非適用であると判断する。その後、制御部８は、携帯電話機１のタイムゾーン情報と、サマータイム適用・非適用の情報とを、ネットワーク及び無線基地局Ａを介して、携帯電話機１へ無線で送信する（ステップＳ７、Ｓ８）。
【００６１】
図１に示す携帯電話機１のアンテナ６にて、無線基地局A（図２参照）から受信したタイムゾーン情報と、サマータイム適用・非適用の情報とは、無線部５を通して、制御部３へ出力される。
制御部３は、無線部５から受信したタイムゾーンの情報と、サマータイム適用・非適用の情報とを元に、携帯電話機１内に装備されたGMT設定とサマータイム適用・非適用の設定とが自動変更され、GMT設定とサマータイムの情報とが反映された時計情報や日付情報を表示部７に表示するので、ユーザは表示部７を通して確認することができる（ステップＳ９）。
【００６２】
更に、図２に示す通信システムにおいて、例えば、ユーザが携帯電話機Ｘで携帯電話機１に電話をかける前に、携帯電話機１が位置する場所の現在の時刻情報を入手するため、携帯電話機Ｘは、時刻情報の事前確認要求の信号と、携帯電話機１の電話番号とを、無線基地局Ｂ及びネットワークを介して移動通信制御局内の制御部８に送信する。
移動通信制御局内の制御部８は、携帯電話機Ｘからの時刻情報の事前確認要求の信号と、携帯電話機１の電話番号の情報とを受信すると、データベース１から携帯電話機１の緯度及び経度情報と、データベース２からタイムゾーンやサマータイムの境界線の緯度及び経度の情報とを入手し、携帯電話機１のタイムゾーンの情報と、サマータイム適用・非適用の情報とを割り出し、ネットワーク及び無線基地局Ｂを介して携帯電話機Ｘに送信する。
【００６３】
携帯電話機Ｘは、無線基地局Ｂから受信した携帯電話機１のタイムゾーン情報と、サマータイム適用・非適用の情報とを元に、携帯電話機Ｘの現地時刻との差分から、携帯電話機１の現地時刻を算出し、携帯電話機１が位置する場所の現地時刻を、電話をかける前に事前確認することができる。
【００６４】
〔効  果〕
以上説明したように本発明によれば、
（１）GPS受信部付き携帯電話機と、移動通信制御局内のデータベースとを組み合わせた本システムを用いることで、携帯電話機のタイムゾーン設定とサマータイム設定とを自動的に変更できるという効果がある。
【００６５】
（２）移動通信制御局内のデータベースに保有されるタイムゾーンやサマータイムと緯度経度との対応情報は、管理者により常に最新版に更新されることにより、常に最新情報を用いたタイムゾーン、サマータイム設定を行うことができるという効果がある。
【００６６】
（３）常に各携帯電話機の緯度、経度情報が保有されている移動通信制御局内にアクセスすることにより、通話したい相手の移動先の現地時刻情報を、通話する前に確認することができるという効果がある。
【００６７】
尚、携帯電話機の位置については、ある携帯電話機と通信するのは一つの無線基地局の周辺であることから、その無線基地局の位置の通信エリア内であるので、ある程度知ることが可能である。
また、携帯電話機と移動通信制御局との間の通信は、地上の中継装置だけでなく人工衛星を介して行うことも可能である。
【００６８】
尚、上述した各実施例は、本発明の好適な実施例であり、本発明の趣旨を逸脱しない範囲内において、種々変形することが可能である。
【００６９】
また、上述した実施例としての方法や装置等を実現するための処理手順を有するプログラムやプログラムを記録媒体に記録することにより、本発明の実施例による各機能を、その記録媒体から供給されるプログラムによって、システムを構成するコンピュータのＣＰＵに処理を行わせて実現させることが可能である。
この場合、上記の記録媒体により供給される場合でも本発明は適用されるものである。
すなわち、記録媒体から読み出されたプログラムコード自体が本発明の新規な機能を実現することになり、そのプログラムコードを記憶した記録媒体及びその記録媒体から読み出された信号は本発明を構成することになる。
この記録媒体としては、例えば、フレキシブルディスク、ハードディスク、光ディスク、光磁気ディスク、フラッシュメモリ、ＣＤ−ＲＯＭ、ＣＤ−Ｒ、磁気テープ、不揮発性メモリカード、ＲＯＭ、ＥＥＰＲＯＭ等を用いてよい。
【図面の簡単な説明】
【００７０】
【図１】本発明にかかる携帯電話機の一実施例のブロック図である。
【図２】本発明にかかる携帯通信システムの一実施例のブロック図である。
【図３】図２に示した無線通信システムにおけるフローチャートである。
【符号の説明】
【００７１】
１    携帯電話機
２    GPS受信部
３    制御部
４    メモリ
５    無線部
６    アンテナ
７    表示部
【図１】
2006270840.tif 000003
【図２】
2006270840.tif 000004
【図３】
2006270840.tif 000005